(57)【要約】      （修正有）【課題】電磁誘導式の電飾装置において、スイッチを設けずに個々の発光部の点灯を制御する。【解決手段】発光部２は、交流駆動される配線１が挿通する円筒形のフェライト３と、フェライトに巻いた受電コイル７と、フェライトの外面側に配した基板８に設けた発光素子９と、全体を包み込む筒状の樹脂モールド12を有する。樹脂モールドにはフェライトに近接可能な凹部１５がある。発光部を配線に外挿し、配線を交流駆動すれば受電コイルに電磁誘導で起電力が生じて発光素子が発光する。凹部に磁石を設けると、その磁場によって受電コイルに誘起される電力が低下し、発光素子の点灯が妨げられる。【選択図】図３
0003113387.tif 000002
【実用新案登録請求の範囲】
【請求項１】
配線と、
前記配線を交流駆動する駆動回路と、
前記駆動回路から前記配線に流れる電流を一定化する定電流回路と、
前記配線が挿通できるように両端面に貫通した中心孔を有する筒状のフェライトと、前記フェライトにトロダイル状に巻かれて前記配線と電磁誘導にて結合される受電コイルと、前記フェライトの外面側に配置されて前記受電コイルに接続された発光素子と、前記フェライトと前記受電コイルと前記発光素子を包み込む円筒状の樹脂モールドを備えた発光部と、
前記発光部に必要に応じて取り付けられ、取付け時に磁場によって前記受電コイルに誘起される電力を低下させて前記発光素子による点灯を妨げる磁石と、
を有することを特徴とする電飾装置。
【請求項２】
配線と、
前記配線を交流駆動する駆動回路と、
前記駆動回路から前記配線に流れる電流を一定化する定電流回路と、
前記配線が挿通できるように両端面に貫通した中心孔を有する筒状のフェライトと、前記フェライトにトロダイル状に巻かれて前記配線と電磁誘導にて結合される受電コイルと、前記フェライトの外面側に配置されて前記受電コイルに接続された発光素子と、前記フェライトと前記受電コイルと前記発光素子を包み込むとともに前記発光素子の存在しない外周面の一部に凹部が設けられた円筒状の樹脂モールドを備えた発光部と、
前記樹脂モールドの前記凹部の内形と実質的に同一の外形を有し、必要に応じて前記凹部内に前記フェライトに対する磁力で取り付けられ、取付け時に磁場によって前記受電コイルに誘起される電力を低下させて前記発光素子による点灯を妨げる磁石と、
を有することを特徴とする電飾装置。
【請求項３】
配線と、
前記配線を交流駆動する駆動回路と、
前記駆動回路から前記配線に流れる電流を一定化する定電流回路と、
前記配線が挿通できるように両端面に貫通した中心孔を有する筒状のフェライトと、前記フェライトにトロダイル状に巻かれて前記配線と電磁誘導にて結合される受電コイルと、前記フェライトの外面側に配置されて前記受電コイルに接続された発光素子と、前記フェライトと前記受電コイルと前記発光素子を包み込む円筒状の樹脂モールドを備えた発光部と、
前記発光部に近接して設置されて必要に応じて前記駆動回路で駆動され、駆動時に発生する磁場により前記発光部の前記受電コイルに誘起される電力を低下させて前記発光素子による点灯を妨げる電磁石と、
を有することを特徴とする電飾装置。
【請求項４】
配線と、
前記配線を連続的に交流駆動する駆動回路と、
前記駆動回路から前記配線に流れる電流を一定化する定電流回路と、
前記配線が挿通できるように両端面に貫通した中心孔を有する筒状のフェライトと、前記フェライトにトロダイル状に巻かれて前記配線と電磁誘導にて結合される受電コイルと、前記フェライトの外面側に配置されて前記受電コイルに接続された発光素子と、前記フェライトと前記受電コイルと前記発光素子を包み込む円筒状の樹脂モールドを備えて前記配線に隣接して取り付けられ、前記駆動回路の連続的な交流駆動により連続点灯可能な複数の発光部と、
複数の前記発光部の各々に近接して設置され、前記駆動回路により選択的に駆動されて駆動時に発生する磁場により前記各発光部の前記各受電コイルに誘起される電力を低下させて前記各発光素子による点灯を選択的に妨げる複数の電磁石と、
を有することを特徴とする電飾装置。
【考案の詳細な説明】
【技術分野】
【０００１】
本考案は、受電コイルに発光素子が接続された発光部に交流駆動される配線を貫通させ、発光部の受電コイルに電磁誘導で起電力を発生させて発光素子を発光させる電飾装置に係り、特に前記発光素子の点灯・非点灯を交流駆動される配線側での給電のＯＮ／ＯＦＦでなく、発光部側での簡単な操作で切り替えられるようにした電飾装置に関するものである。
【背景技術】
【０００２】
電飾装置の発光素子へ電力を供給する手段としては、下記特許文献１に示す接続部のようにコネクター・ソケット・半田付け等の機械的接続構造を介して供給するものが一般的であるが、この機械的接続構造の電気的・機械的信頼性を確保するためには、これを設けられるだけの十分な空間が必要であり、これが発光部を大きくし、電飾装置を全体としても大型化してしまう原因となっていた。
【０００３】
このような課題を解決する一方法として、下記特許文献２に示すように、電磁誘導を用いて非接触にて発光素子に電力を供給する電飾装置が提案されている。この電飾装置は、交流駆動される配線に円筒形の発光部が移動可能に設けられたものであるが、発光部は、円筒を縦２分割にして開閉可能とした筐体の内部に、同様に縦２分割にして開閉可能とした円筒形の磁性体を設け、この磁性体に受電コイルをトロダイル状に巻き、筐体の外面に設けた発光素子に受電コイルを接続した構造である。交流駆動される配線を筐体及び磁性体の中心の通孔に挿通させれば、発光部は配線に沿って移動可能となり、発光部は配線に対して任意の位置に設定可能となる。そして配線を交流駆動すれば受電コイルに電磁誘導によって交流起電力が生じ、発光素子が発光する。
【０００４】
【特許文献１】特開平７−２３０２５６号公報
【特許文献２】特開２００３−１５７７０２号公報
【考案の開示】
【考案が解決しようとする課題】
【０００５】
上記特許文献２に示す電飾装置では、各発光部の筐体及び磁性体は開閉可能であり、必要に応じて開閉することで、交流駆動される配線に対して着脱する操作を行うことができ、発光させる必要がない場合には配線から取り外すことができる。しかし、このような開閉可能な構造は複雑であり、発光部のサイズが大きくなるという問題があった。
【０００６】
そこで、本願発明者は、電磁誘導を用いた電飾装置において、単純な筒形の磁性体に受電コイルを巻き、その周囲に設けた発光素子に受電コイルを接続し、全体を透光性の樹脂で筒形にモールドしたコンパクトな構成の発光部を提案した。しかし、この発光部は一旦配線を挿通してしまうと、上記特許文献２に示す電飾装置のようには配線から取り外すことができないので、発光部を非点灯とするためには、給電を行う配線側の駆動回路に設けたスイッチを操作する必要がある。
【０００７】
しかし、発光部が複数設けられている場合には、配線側のスイッチで個々の発光部を選択的に点灯・非点灯とすることはできない。発光部を個々にＯＮ／ＯＦＦするためには、各発光部ごとにスイッチを設ける必要があるが、そのような構造は樹脂モールドでコンパクトに構成した発光部の構造を複雑化し、装置としての信頼性を低下させることとなるので、現実的ではない。
【０００８】
本考案は、以上説明したような問題を解決するものであり、筒形の磁性体に受電コイルを巻いて発光素子とともに樹脂モールドした発光部を有する電磁誘導式の電飾装置において、個々の発光部にスイッチ等の複雑な構成を設けることなく、簡単な構成で個々の発光部の点灯を制御できるようにすることを目的とする。
【課題を解決するための手段】
【０００９】
請求項１に記載された電飾装置は、
配線と、
前記配線を交流駆動する駆動回路と、
前記駆動回路から前記配線に流れる電流を一定化する定電流回路と、
前記配線が挿通できるように両端面に貫通した中心孔を有する筒状のフェライトと、前記フェライトにトロダイル状に巻かれて前記配線と電磁誘導にて結合される受電コイルと、前記フェライトの外面側に配置されて前記受電コイルに接続された発光素子と、前記フェライトと前記受電コイルと前記発光素子を包み込む円筒状の樹脂モールドを備えた発光部と、
前記発光部に必要に応じて取り付けられ、取付け時に磁場によって前記受電コイルに誘起される電力を低下させて前記発光素子による点灯を妨げる磁石と、
を有することを特徴としている。
【００１０】
請求項２に記載された電飾装置は、
配線と、
前記配線を交流駆動する駆動回路と、
前記駆動回路から前記配線に流れる電流を一定化する定電流回路と、
前記配線が挿通できるように両端面に貫通した中心孔を有する筒状のフェライトと、前記フェライトにトロダイル状に巻かれて前記配線と電磁誘導にて結合される受電コイルと、前記フェライトの外面側に配置されて前記受電コイルに接続された発光素子と、前記フェライトと前記受電コイルと前記発光素子を包み込むとともに前記発光素子の存在しない外周面の一部に凹部が設けられた円筒状の樹脂モールドを備えた発光部と、
前記樹脂モールドの前記凹部の内形と実質的に同一の外形を有し、必要に応じて前記凹部内に前記フェライトに対する磁力で取り付けられ、取付け時に磁場によって前記受電コイルに誘起される電力を低下させて前記発光素子による点灯を妨げる磁石と、
を有することを特徴としている。
【００１１】
請求項３に記載された電飾装置は、
配線と、
前記配線を交流駆動する駆動回路と、
前記駆動回路から前記配線に流れる電流を一定化する定電流回路と、
前記配線が挿通できるように両端面に貫通した中心孔を有する筒状のフェライトと、前記フェライトにトロダイル状に巻かれて前記配線と電磁誘導にて結合される受電コイルと、前記フェライトの外面側に配置されて前記受電コイルに接続された発光素子と、前記フェライトと前記受電コイルと前記発光素子を包み込む円筒状の樹脂モールドを備えた発光部と、
前記発光部に近接して設置されて必要に応じて前記駆動回路で駆動され、駆動時に発生する磁場により前記発光部の前記受電コイルに誘起される電力を低下させて前記発光素子による点灯を妨げる電磁石と、
を有することを特徴としている。
【００１２】
請求項４に記載された電飾装置は、
配線と、
前記配線を連続的に交流駆動する駆動回路と、
前記駆動回路から前記配線に流れる電流を一定化する定電流回路と、
前記配線が挿通できるように両端面に貫通した中心孔を有する筒状のフェライトと、前記フェライトにトロダイル状に巻かれて前記配線と電磁誘導にて結合される受電コイルと、前記フェライトの外面側に配置されて前記受電コイルに接続された発光素子と、前記フェライトと前記受電コイルと前記発光素子を包み込む円筒状の樹脂モールドを備えて前記配線に隣接して取り付けられ、前記駆動回路の連続的な交流駆動により連続点灯可能な複数の発光部と、
複数の前記発光部の各々に近接して設置され、前記駆動回路により選択的に駆動されて駆動時に発生する磁場により前記各発光部の前記各受電コイルに誘起される電力を低下させて前記各発光素子による点灯を選択的に妨げる複数の電磁石と、
を有することを特徴としている。
【考案の効果】
【００１３】
請求項１に記載された電飾装置によれば、ある発光部を非点灯としたい場合には、当該発光部に磁石を取り付ければ、その磁場によって当該発光部の受電コイルに誘起される電力が低下し、その点灯が妨げられる。また、磁石を取り付けると、受電コイルのインダクタンスが変化して配線に流れる電流が増加する方向に向くが、定電圧回路があるので配線には常に一定の電流が流れるように制御される。
【００１４】
請求項２に記載された電飾装置によれば、請求項１記載の電飾装置による効果のほか、さらに、ある発光部を非点灯とするために当該発光部に磁石を取り付ける際、当該発光部の樹脂モールドの凹部に磁石を取り付けることができるので、磁石を受電コイルのフェライトに極力接近させて配置することができ、発光素子の点灯は確実に妨げられる。
【００１５】
請求項３に記載された電飾装置によれば、ある発光部を非点灯としたい場合には、駆動回路を介して電磁石を駆動すれば、その磁場によって当該発光部の受電コイルに誘起される電力が低下し、その点灯が妨げられる。また、電磁石を駆動すると、受電コイルのインダクタンスが変化して配線に流れる電流が増加する方向に向くが、定電圧回路があるので配線には常に一定の電流が流れるように制御される。
【００１６】
請求項４に記載された電飾装置によれば、請求項３記載の電飾装置による効果のほか、さらに、複数の発光部は連続して点灯するが、電磁石が駆動された場合には、当該電磁石に対応する発光部の点灯が妨げられる。また、発光部を電磁石から離すと、連続点灯になる。
【考案を実施するための最良の形態】
【００１７】
以下、本考案を実施するために実用新案登録出願人が出願時点で最良と思う本考案の実施の形態を図１〜図１１を参照して説明する。
１．第１実施形態（図１〜図５）
図１〜図５は本考案の実施の形態において電磁誘導を利用した電飾装置の一例を示すものである。
図１は同電飾装置の原理を示す説明図、図２は同電飾装置の回路構成を示す全体図、図３は同電飾装置の発光部の横断面図、図４は発光部の回路構成図、図５は同電飾装置の作動タイミング図である。
【００１８】
（１）電飾装置の基本構成（図１）
本例の電飾装置は、交流電源を有する給電部に接続されて駆動される配線１（給電コイル）と、この配線１に貫通されるようにして設けられ、配線１に沿って移動可能で任意の位置に設定できる発光部２からなる。この発光部２の設置個数は任意である。発光部２は、発光素子に接続された受電コイルを有する円筒形であり、交流駆動される配線１と受電コイルを電磁結合が成立する給電状態に置くことにより、電磁誘導で発光部２に非接触で給電を行い、発光素子を発光させることができる。
【００１９】
図１に模式的に示すように、配線１が駆動されると、発光部２を貫通している配線１には矢印Ａで示すような交流が流れる。すると、発光部２の受電コイル（図示せず）が巻装される円筒形のフェライトにおいては、矢印Ｂに示すように円周方向について交互に向きが変わる磁界が発生する。この磁界により受電コイルに発生する交流を電力として利用し、発光素子（図示せず）を発光駆動する。
【００２０】
ここで、上述したような作用で発光部２の発光素子が発光している時に、図示のように永久磁石１０を発光部に接近させると、この永久磁石１０（磁石１０とも呼ぶ）の磁場が受電コイル側に誘起される電力が減少するように作用し、受電コイルに発生する電力が低下する。従って、複数の発光部２を貫通している配線１を交流駆動してすべての発光部２が発光する状態において、特定の発光部２のみに磁石１０を設ければ、当該磁石１０のみを非点灯とし、その他の磁石１０を設けない発光部２のみを点灯とすることができる。すなわち、多数の発光部２の各々にスイッチ等を設けなくとも、磁石１０を取り付けるだけの簡単な手段で点灯していたものを非点灯とすることができる。
【００２１】
（２）電飾装置の全体の回路構成（図２）
図２に示すように、所望のパターンで配置された給電コイルである配線１には給電部２０が接続されている。給電部２０は、電源２１と、駆動信号の基準となる信号を発生する発振回路２２と、必要に応じて発振回路２２からの信号をもとに駆動信号に変換する分周回路２３と、配線１の駆動タイミングを制御する制御回路２４と、制御回路２４からの信号により配線１を分周回路２３からの信号で数ｋＨｚ〜数十ｋＨｚで交流駆動する駆動回路２５とを有している。さらに、給電部２０には、配線１に設けた駆動中の発光部２に磁石を設けて消灯し、これによって配線１に流れる電流が増加して他の発光部２の輝度が変化してしまうことを防止するため、前記駆動回路２５を制御して駆動回路２５から配線１に流れる電流を一定化する定電流回路２６も設けられている。
【００２２】
（３）発光部２の回路構成（図３）
図３に示すように、発光部２のフェライト３（磁性体）は、配線１が挿通できるように中心孔４が両端面に貫通した一体構造の円筒形である。
【００２３】
前記フェライト３の周壁には、皮膜銅線がトロダイル状に巻かれて受電コイル７が構成されている。これらの受電コイル７は交流駆動される配線１と電磁誘導で結合されると誘導起電力を生じる。
【００２４】
フェライト３の外周面側には、フェライト３に巻かれた受電コイル７を囲む実質的に円筒形のプリント基板８が配置されている。このプリント基板８には、その外面側にＬＥＤ等の発光素子９が取り付けられている。発光素子９と受電コイル７との接続構造は後述する。また、プリント基板８の上には電流制限用の抵抗１１が実装されて受電コイル７と発光素子９の間に接続されている。本例では、発光素子９と抵抗１１は、プリント基板８上の４箇所に、その円筒形の周方向に沿って略９０度間隔で配置されている。
【００２５】
図３に示すように、前記フェライト３と前記受電コイル７と前記プリント基板８と前記発光ユニット１０を内部に包み込むように、貫通孔１３を備えた筒状の樹脂モールド１２が形成されている。樹脂モールド１２の貫通孔１３は、フェライト３の中心孔４の内面にある受電コイル７を必要十分な厚さで被覆するように構成されている。
【００２６】
図３に示すように、樹脂モールド１２の外周面側は、発光素子９と抵抗１１がある部分では厚く形成され、プリント基板８上に部品のない部分ではプリント基板８の表面を覆う程度の薄さの凹部１５として形成されている。凹部１５は、その内形状が断面略扇形であり、発光部２の円筒形の全軸長にわたって連続して形成されている。この凹部１５は、発光素子９の発光を停止させるべく、磁石１０を受電コイル７のフェライト３に極力接近させて取り付けるために設けられた取付け部である。また、このように、磁石１０を取り付ける凹部１５を発光部２の側周面に設けたので、取り付けた磁石１０の影響が発光を妨げる必要のない他の発光部２に及ぶ事態は極力避けられる。
【００２７】
所望の発光部２の発光素子９を非点灯とすべく、受電コイル７に生じる誘導起電力を減衰させるためには、受電コイル７が巻き込まれたフェライト３に対し、交流駆動される配線１によって発生する磁場とは異なる磁場を与える必要があり、磁石１０としては高い磁束密度を有するネオジウム、サマリウムコバルト等からなる永久磁石が最適である。また、その形状は、前記凹部１５の内形に合致した形状であることが好ましい。
【００２８】
（４）発光部２の回路構成（図４）
図４にて発光部２の回路構成を説明する。
発光部２は、フェライト３に巻き込まれた一つの受電コイル７と、受電コイル７の両端に接続されて該受電コイル７に誘起された電力で駆動される発光素子９とを有している。本例の発光素子９は４個のＬＥＤであり、導通方向が同じになるように２個ずつ並列に接続したものを、互いに逆極性となるとともに互いに並列となるように接続し、受電コイル７に対しては電流制限用の抵抗１１を介してそれぞれ直列となるように接続する。
【００２９】
（５）作用効果等（図５）
以上説明した構成における作用について説明する。
給電部２０の配線１が発光部２の中心孔４を貫通するように発光部２を配線１に対して取り付ける。発光部２は、配線１に沿って移動させることができるので、一旦定めた発光部２の配置は、後に必要に応じて自由に変更することができる。この状態で配線１を駆動すれば、受電コイル７に誘導電流が誘起されてその発光素子９が発光する。各発光部２がすべて発光している状態において、非点灯としたい発光部２の樹脂モールド１２の凹部１５に磁石１０を取り付ければ、磁石１０の磁場によって当該発光部２の受電コイル７に誘起される電力が低下し、その点灯が妨げられる。
【００３０】
上記の作用を図５の駆動タイミング図を参照してさらに詳細に説明する。
図５（ａ）に示すように、磁石１０がない状態において、制御回路２４が点灯を指示する信号を任意のパターンで出力すると、図５（ｂ）に示すように配線１（給電コイル）には同様のパターンで交流電圧が印可される。図５（ｃ）に示すように、配線１に設けられている前記発光部２の受電コイル７には電力が誘起され、受電コイル７に接続された発光素子９が点灯する。
【００３１】
図５に示すように、非点灯としたい発光部２に磁石を装着すると、図５（ｃ）に示すように受電コイル７に誘起される電力は小さくなり、発光素子９は消灯する。なお、磁石を取り付けると、受電コイル７のインダクタンスが変化して配線１に流れる電流が増加する方向に向くが、定電圧回路２６があるので配線１には常に一定の電流が流れる。
【００３２】
２．第２実施形態（図６〜図８）
図６〜図８は電磁誘導を利用した本考案の電飾装置の実施形態の効果を従来例と比較して示すものである。
図６は配線に対して異なる発光色の多数の発光部を移動可能に設けてなる本願発明者が先に提案した電磁誘導を用いた電飾装置の模式図であり、図７は同電飾装置の発光部から特定色の発光部を除外する場合の配線の引き回し状態とその問題点を示す図、図８は配線に対して異なる発光色の多数の発光部を移動可能に設けてなる本例の電飾装置において特定色の発光部を除外する場合の配線の引き回し状態とその効果を示す図である。なお、これら各図において、発光部の発光色は、斜線、格子、べた塗り等の模様で区別して表しており、またこれらの図中、「駆動部４０」は第１実施形態の「給電部２０」に相当する構成である。
【００３３】
図６に示すように、配線１に対して発光部を移動可能に設けてなる電磁誘導を用いた電飾装置において、多数の発光色の発光部で多彩な発光表示を行わせるために、配線１に対して異なる発光色の発光部２を多数個移動可能に設ける構成を本願発明者は案出した。しかし、この場合、多数の発光部２は配線１に貫通されて設けられているので、各発光色の発光部２は隣接して設けられた順序を簡単には変えることができない。また、各発光部２は配線１の交流駆動により一律に発光駆動されるので、特定の発光部２のみを選択して消灯することはできない。
【００３４】
ここで、例えばべた塗り（黒色）で表示した「アンバー色」の発光を示す発光部２ａを表示させたくない場合には、上述したように、「アンバー色」の発光部２ａのみを簡単に配線１から外すことはできないし、また配線１を交流駆動しつつ「アンバー色」の発光部２ａのみを消灯する手段もないので、図７に示すように、配線１をこれら「アンバー色」の発光部２ａに貫通させたままの状態で引き回し、表示エリア外に持ち出す必要があった。このような作業は、配線１を長く引き回す必要があるため非常に煩雑であり、発光色の変更は不便であった。
【００３５】
ところが、本願発明の実施形態を利用すると、永久磁石１０を消灯したい発光部２に取り付けるだけで目的とする発光部２のみを消灯させることができるので、消灯した発光部２はそのまま表示エリア内に置いておくことが可能となる。図８に示すように、べた塗り（黒色）で表示した「アンバー色」の発光部２ａには磁石１０が設けられて配線１の交流駆動にも係わらず発光しないので、この「アンバー色」の発光部２ａは、表示エリアの外にまで引き回す必要はなく、その前後の異なる発光色の発光部２の間における短い配線１の部分のみで発光部２の並びから外せばよい。このようにすれば、異なる発光色の多数の発光部２が一定の間隔で並んで表示される電飾装置において、特定の色を消灯とした場合に当該部分において発光部２の間隔が変わるという不自然さが生じない。もちろん、表示部２の間隔を気にしなければ、配線１はそのままで「アンバー色」の発光部２ａのみを磁石１０で消灯とするだけでもよい。
【００３６】
３．第３実施形態（図９〜図１１）
図９〜図１１は本考案の実施の形態において電磁誘導を利用した電飾装置の他の例を示すものである。図９は同電飾装置で使用する電磁石の斜視図、図１０は同電飾装置の全体構成を示す模式的斜視図、図１１は同電飾装置の作動タイミング図である。
【００３７】
本例の電飾装置は、第１の実施形態における磁石１０に替えて電磁石３０を利用しており、該電磁石３０の駆動は、発光部２を発光させるために配線１を交流駆動する駆動部４０（第１実施形態の給電部２０に相当）によって行われる。
【００３８】
図９に示す本例の電磁石３０は、所定間隔の隙間をおいて互いに平行に対面する２枚のフランジ３１，３１を基部３２において一体とした横断面略コ字形の磁性体（フェライト）３３を備えており、この磁性体３３の基部３２に駆動コイル３４が巻装されている。
【００３９】
図１０に示すように、電磁石３０は複数個設けられ、各電磁石３０はフランジ３１を鉛直方向に平行として隙間を上に向け、互いに接近して平行に並べられている。各電磁石３０は、駆動部４０に接続されている。駆動部４０に接続された配線１には、発光色が異なる複数の発光部２が外挿されているが、各発光部２は、配線１を外挿する順番で電磁石３０のフランジ３１，３１の隙間の間に載置されているが、必要に応じて電磁石３０から離すこともできる。
【００４０】
本例によれば、発光部２は、電磁石３０上に設置されて電磁石３０が駆動された場合には、駆動部４０が発光部駆動信号によって配線１を交流駆動している場合であっても消灯する。発光部２が電磁石３０の上に置かれている場合は電磁石３０の駆動信号によって点滅動作を行い、電磁石３０から離された場合には各発光部２は連続点灯する。
【００４１】
上記の作用を図１１の駆動タイミング図を参照してさらに詳細に説明する。
図１１（ａ）に示すように、駆動部４０は発光部駆動信号によって配線１を連続的に交流駆動している。駆動部４０は発光部２を消灯させるために電磁石３０を所望のタイミングで駆動するが、本例では例えば同図（ｂ）に示すようなタイミングで駆動するものとする。このため、電磁石３０の上に載置された各発光部２では、同図（ｃ）に示すように、電磁石３０を駆動していない時には受電コイル７には所定の誘導起電力が生じ、電磁石３０を駆動している時には受電コイル７に生じる誘導起電力は弱まる。その結果、同図（ｄ）に示すように、電磁石３０を駆動していない時には発光素子９が発光するが、電磁石３０を駆動している時には発光素子９は発光しない。
【００４２】
以上のように、発光部２を電磁石３０の上に載置して配線１を連続して交流駆動している場合は、電磁石３０を選択的に駆動することで発光している発光部２を消灯することができるが、図１１（ｅ）〜（ｇ）に示すように発光部２を電磁石３０から離してしまえば、もちろん電磁石３０の駆動に係わらず、連続駆動されている配線１によってすべての発光部は連続点灯する。
【００４３】
なお、第３実施形態では、電磁石３０の上に発光部２を配置するとともに、配線１の交流駆動を連続とし、選択的に電磁石３０を駆動することで選択された発光部２のみが発光を抑制されることとしたが、配線１の発光部駆動信号と電磁石３０の駆動信号を適当なパターンとして適宜タイミングの調整を図って組み合わせることによっても、任意の複雑な発光動作を行わせることができる。
【図面の簡単な説明】
【００４４】
【図１】図１は本考案の実施の形態に係る電飾装置の原理を示す説明図である。
【図２】図２は同電飾装置の回路構成を示す全体図である。
【図３】図３は同電飾装置の発光部の横断面図である。
【図４】図４は発光部の回路構成図である。
【図５】図５は同電飾装置の作動タイミング図である。
【図６】図６は配線に対して異なる発光色の多数の発光部を移動可能に設けてなる本願発明者が先に提案した電磁誘導を用いた電飾装置の模式図である。
【図７】図７は同電飾装置の発光部から特定色の発光部を除外する場合の配線の引き回し状態とその問題点を示す図である。
【図８】図８は配線に対して異なる発光色の多数の発光部を移動可能に設けてなる本例の電飾装置において特定色の発光部を除外する場合の配線の引き回し状態とその効果を示す図である。
【図９】図９は本考案の実施の形態に係る電飾装置の他の例における電磁石の構成を示す斜視図である。
【図１０】図１０は同電飾装置の全体構成を示す模式的斜視図である。
【図１１】図１１は同電飾装置の作動タイミング図である。
【符号の説明】
【００４５】
１…配線（給電コイル）
２，２ａ…発光部
３…フェライト
４…中心孔
７…受電コイル
８…プリント基板
９…発光素子
１０…磁石（永久磁石）
１１…抵抗
１２…樹脂モールド
１３…貫通孔
１５…凹部
１２…樹脂モールド
２６…定電流回路
３０…電磁石
４０…駆動部
【図１】
0003113387.tif 000003
【図２】
0003113387.tif 000004
【図３】
0003113387.tif 000005
【図４】
0003113387.tif 000006
【図５】
0003113387.tif 000007
【図６】
0003113387.tif 000008
【図７】
0003113387.tif 000009
【図８】
0003113387.tif 000010
【図９】
0003113387.tif 000011
【図１０】
0003113387.tif 000012
【図１１】
0003113387.tif 000013